(57)【要約】【課題】  水流行程の組み合わせによって、衣類を傷めず、汚れの除去を効率的に行う洗濯機において、パルセータを低速で回転する弱水流行程と、パルセータを高速で回転させる強水流行程にて、洗濯物を洗うことで、デリケートな洗濯物を傷めず、かつ短時間で洗濯する。【解決手段】  モータ１６と、洗濯槽兼脱水槽１３と、洗濯槽兼脱水槽１３の底部にあってモータ１６の駆動により回転自在に配設したパルセータ１４と、洗い、すすぎ行程等を遂次制御する制御手段２４を備え、洗い、またはすすぎ行程において、制御手段２４はモータ１６への通電を一部周波数カットしてパルセータ１４を低速で回転する弱水流行程と、パルセータ１４を高速で回転させる強水流行程とを有する。【選択図】  図１
2005066000.tif 000002
【特許請求の範囲】
【請求項１】
モータと、洗濯槽兼脱水槽と、前記洗濯槽兼脱水槽の底部にあって前記モータの駆動により回転自在に配設したパルセータと、洗い、すすぎ、脱水行程等を遂次制御する制御手段を備え、前記制御手段は、洗い行程およびすすぎ行程のうち少なくともいずれか一方の行程において、前記モータへの通電を一部周波数カットして前記パルセータを低速で回転する弱水流行程と、前記パルセータを高速で回転させる強水流行程の両方を実行する洗濯機。
【請求項２】
制御手段は、弱水流行程と強水流行程を交互に実行する請求項１に記載の洗濯機。
【請求項３】
制御手段は、洗い行程およびすすぎ行程のうち少なくともいずれか一方の行程の開始時に、強水流行程を実行した後、弱水流行程と強水流行程を交互に実行する請求項１または２に記載の洗濯機。
【請求項４】
制御手段は、洗い行程およびすすぎ行程のうち少なくともいずれか一方の行程の開始時に実行する強水流行程の水流を、その後の強水流行程の水流より強くなるように設定した請求項３に記載の洗濯機。
【請求項５】
パルセータの裏面側に形成したポンプ室と、前記ポンプ室から前記洗濯槽兼脱水槽の側壁上方に向かって送水し前記洗濯槽兼脱水槽中央に向け散水すべく開口部を一端に有する循環水路とを備えた請求項１〜４のいずれか１項に記載の洗濯機。
【請求項６】
制御手段は、強水流行程の水流を、開口部より洗濯水を散水させることができる強さに設定した請求項５に記載の洗濯機。
【発明の詳細な説明】
【技術分野】
【０００１】
本発明は、水流の組み合わせによって、衣類を傷めず、汚れの除去を効率的に行う洗濯機に関するものである。
【背景技術】
【０００２】
従来、この種の洗濯機は図４に示すような構成が一般的であった（例えば、特許文献１参照）。以下、その構成について説明する。
【０００３】
図４は、特許文献１に記載された従来の洗濯機を示すものである。図４において、洗濯兼脱水槽１は、底面にパルセータ２を回転自在に配設し、水受け槽３は、洗濯兼脱水槽１の外側に設けており、モータ４は、Ｖベルト５および減速機構兼クラッチ６を介して、洗濯兼脱水槽１またはパルセータ２を駆動する。排水弁７は洗濯兼脱水槽１内の洗濯水を排水し、給水弁８は洗濯兼脱水槽１内に給水するものである。また、水受け槽３は外枠９にサスペンション１０によって防振支持されている。環状流体バランサー１１は洗濯兼脱水槽１の上部に設け、脱水時の振動を低減するものである。
【０００４】
制御手段１２は、モータ４、排水弁７、給水弁８などを制御して、洗濯、すすぎ、脱水の一連の行程を逐次制御するものである。
【０００５】
上記構成において動作を説明すると、セータなどのデリケートな衣類を洗う場合、洗濯兼脱水槽１に衣類と所定量の洗剤を投入した後、運転を開始すると、制御手段１２は給水弁８を制御して洗濯兼脱水槽１内に所定量の水を給水し、その後、モータ４を制御してパルセータ２を駆動する。
【０００６】
このとき、デリケートな衣類が傷まないように、制御手段１２は、通電を一部カット（モータ４の通電比率を電源の半波を１としたとき、１／３通電としている）し、パルセータ２を低速で回転させている。このパルセータ２の回転により、洗濯兼脱水槽１内の衣類は撹拌され、汚れが落ちる。
【特許文献１】特開平１０−３２３４８２号公報
【発明の開示】
【発明が解決しようとする課題】
【０００７】
しかしながら、従来の洗濯機は、デリケートな衣類を洗う場合、パルセータ２を低速で回転させているだけであるため、衣類の汚れは落ちにくく、その汚れを除去するためには洗い時間、また、すすぎ時間を長く設定しなければならないといった問題を有していた。
【０００８】
本発明は、前記従来の課題を解決するもので、パルセータを低速で回転する弱水流行程と、パルセータを高速で回転させる強水流行程にて、衣類を洗うことで、デリケートな衣類を傷めず、かつ短時間で洗濯することができる洗濯機を提供することを目的とする。
【課題を解決するための手段】
【０００９】
前記従来の課題を解決するために、本発明の洗濯機は、モータと、洗濯槽兼脱水槽と、前記洗濯槽兼脱水槽の底部にあって前記モータの駆動により回転自在に配設したパルセータと、洗い、すすぎ行程等を遂次制御する制御手段を備え、洗い、またはすすぎ行程において、前記制御手段は前記モータへの通電を一部周波数カットして前記パルセータを低速で回転する弱水流行程と、前記パルセータを高速で回転させる強水流行程とを有してなるものである。
【００１０】
これにより、デリケートな衣類を、弱水流行程にて傷めず洗濯し、かつ強水流行程にて短時間で洗濯することができるものである。
【発明の効果】
【００１１】
本発明の洗濯機は、デリケートな衣類を傷めず、かつ短時間で洗濯することができる。
【発明を実施するための最良の形態】
【００１２】
第１の発明は、モータと、洗濯槽兼脱水槽と、前記洗濯槽兼脱水槽の底部にあって前記モータの駆動により回転自在に配設したパルセータと、洗い、すすぎ、脱水行程等を遂次制御する制御手段を備え、前記制御手段は、洗い行程およびすすぎ行程のうち少なくともいずれか一方の行程において、前記モータへの通電を一部周波数カットして前記パルセータを低速で回転する弱水流行程と、前記パルセータを高速で回転させる強水流行程の両方を実行することにより、衣類を傷めない弱水流と、汚れが落ちやすい強水流を組み合わせることができるため、デリケートな衣類を傷めず、かつ短時間で洗濯することができる。
【００１３】
第２の発明は、第１の発明の制御手段が、弱水流行程と強水流行程を交互に実行することにより、衣類を傷めない弱水流と、汚れが落ちやすい強水流とを効率良く組み合わせることができるため、デリケートな衣類を傷めず、かつ短時間で洗濯することができる。
【００１４】
第３の発明は、第１または第２の発明の制御手段が、洗い行程およびすすぎ行程のうち少なくともいずれか一方の行程の開始時に、強水流行程を実行した後、弱水流行程と強水流行程を交互に実行することにより、給水後には水面に浮いている衣類を、行程の開始時に、強水流行程によって水中に引き込み、衣類に水をしみ込ませることができるので、衣類を水中に浸漬させることができ、その後の行程で効果的な洗濯、すすぎを実行することができる。
【００１５】
第４の発明は、第３の発明の制御手段が、洗い行程およびすすぎ行程のうち少なくともいずれか一方の行程の開始時に実行する強水流行程の水流を、その後の強水流行程の水流より強くなるように設定したことにより、給水後には水面に浮いている衣類を、行程の開始時に、強い水流の強水流行程によって水中に強力に引き込み、衣類に水を十分にしみ込ませることができるので、衣類を水中に浸漬させることができ、その後の行程でさらに効果的な洗濯、すすぎを実行することができる。
【００１６】
第５の発明は、第１〜４のいずれか１つの発明の洗濯機が、パルセータの裏面側に形成したポンプ室と、前記ポンプ室から前記洗濯槽兼脱水槽の側壁上方に向かって送水し前記洗濯槽兼脱水槽中央に向け散水すべく開口部を一端に有する循環水路とを備えたことにより、洗濯途中に衣類が洗濯水の水面上に浮き上がった場合でも、衣類に洗濯水をかけて汚れに作用させることができるため、衣類の洗いムラを減少させることができる。
【００１７】
第６の発明は、第５の発明の制御手段が、強水流行程の水流を、開口部より洗濯水を散水させることができる強さに設定したことにより、強水流行程の水流のときにのみ、水面上に浮き上がった衣類にも洗濯水をかけて汚れに作用させることができるので、泡立ちを抑えつつ、洗いむらを少なくすることができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における洗濯機の縦断面図、図２（ａ）は、同洗濯機の強水流行程における通電波形図、図２（ｂ）は、同洗濯機の弱水流行程における通電波形図、図３は、同洗濯機の動作タイムチャートを示すものである。
【００２０】
図１において、洗濯兼脱水槽１３は、底面にパルセータ１４を回転自在に配設し、水受け槽１５は、洗濯兼脱水槽１３を内包するように設けている。モータ１６は、Ｖベルト１７および減速機構兼クラッチ１８を介して、洗濯兼脱水槽１３およびパルセータ１４を駆動する。排水弁１９は洗濯兼脱水槽１３内の洗濯水を排水し、給水弁２０は洗濯兼脱水槽１３内に給水するものである。また、水受け槽１５は外枠２１にサスペンション２２によって防振支持されている。環状の流体バランサー２３は洗濯兼脱水槽１３の上部に設け、脱水時の振動を低減するものである。
【００２１】
制御手段２４は、モータ１６、排水弁１９、給水弁２０などを制御して、洗濯、すすぎ、脱水の一連の行程を逐次実行するものである。
【００２２】
洗濯兼脱水槽１３の内側面部には、開口部２５を備えた循環水路カバー２６と洗濯兼脱水槽１３とで循環水路２７が形成されている。モータ１６に通電されると、パルセータ１４の回転により、パルセータ１４の裏面の洗濯水は、パルセータ１４の下側羽根２８により、その外周に形成されたポンプ室２９から循環水路２７を通り、開口部２５より洗濯兼脱水槽１３内に吐出される。
【００２３】
制御手段２４は、図２（ｂ）のように、モータ１６への通電比率を電源の半波を１としたとき、１／３通電として、通電を一部カットして、パルセータ１４を低速で回転する弱水流行程と、図２（ａ）のように、モータ１６への通電比率を１／１通電とした、パルセータ１４を高速で回転させる強水流行程とを有している。この強水流行程の中には、強水流（例えば、１．０秒オン−４．０秒オフ）と、標準水流（例えば、０．５秒オン−４．０秒オフ）とを設けている。
【００２４】
また、強水流行程の水流は、開口部２５より洗濯水を洗濯兼脱水槽１３内に吐出し、弱水流行程の水流（例えば、３．０秒オン−５．５秒オフ）は、開口部２５より洗濯水が吐出しないように設定している。他の構成は従来と同じである。
【００２５】
上記構成において動作を説明すると、洗濯兼脱水槽１３に衣類と洗剤を投入し、運転を開始すると給水弁２０を開いて所定の水位まで給水した後、モータ１６を駆動する。そして、モータ１６の動力は洗濯軸を介してパルセータ１４に伝達され、パルセータ１４が回転する。
【００２６】
このとき、図３に示すように、制御手段２４は、強水流行程の強水流を一定時間（例えば、３０秒）実行する。その後、弱水流行程と強水流行程の標準水流を一定時間づつ交互に実行する（例えば、弱水流行程５０秒、強水流行程２０秒を交互に実行）。
【００２７】
給水終了の時点では衣類は乾いているため、水面に浮いてしまっている。そこで、最初に強水流行程の強水流を一定時間実行することにより、洗い行程開始時に、洗濯水に浮いている衣類を、強水流行程によって水中に引き込み、衣類に水をしみ込ませることができるので、洗濯水に十分に浸漬させることができる。それにより、その後の行程で、効果的な洗濯、すすぎを実行することができる。
【００２８】
また、上記したように、弱水流行程と強水流行程を交互に最適な時間で実行することにより、弱水流行程においては衣類を傷めずやさしく洗いつつ、強水流行程においては衣類を傷めずに、しっかりと汚れを落とすことができるため、デリケートな衣類を傷めず、かつ短時間で洗濯することができる。このとき、弱水流行程の実行時間を強水流行程の実行時間より長く設定することにより、デリケートな衣類に対し、弱水流行程でつけ置き洗いの効果、すなわち、衣類の汚れを衣類から浮かし、強水流行程でその汚れを衣類から引き離すことができるものである。また、強水流行程の時間は短いので、デリケートな衣類を傷めることなく、洗濯を行うことができるものである。
【００２９】
また、洗い行程開始時の強水流の後は、弱水流行程と強水流行程を交互に最適な時間で実行するが、この時の強水流行程の水流は、標準水流に設定している。これは、洗い行程開始時の強水流によって衣類に洗濯水が十分しみ込み、衣類が洗濯水内に十分に浸漬しているため、強水流行程の水流を標準水流に設定することにより、さらに衣類を傷めず、やさしく洗いあげることができる。
【００３０】
また、セータなどの衣類は浮きやすいため、洗い中でも水面より上に浮き上がってしまう場合がある。そこで、強水流行程の水流は、開口部２５より洗濯水を散水させるように設定していることにより、水面から上にある衣類にも洗濯水をかけて汚れに作用させることができる。
【００３１】
さらに、開口部２５からの洗濯水の散水量が多すぎる場合、泡が立ちすぎる恐れがあるため、弱水流行程の水流は、開口部２５より洗濯水が吐出しないように、モータ１６への通電比率を設定している。これにより、散水による泡の立ちすぎも抑えつつ、洗いむらを少なくすることができる。
【００３２】
なお、制御手段２４は、すすぎ行程においても同じ動作を行うようにしてもよい。
【産業上の利用可能性】
【００３３】
以上のように、本発明にかかる洗濯機は、デリケートな衣類を傷めず、かつ短時間で洗濯することが可能となるので、水流の組み合わせによって、衣類を傷めず、汚れの除去を効率的に行う洗濯機等として有用である。
【図面の簡単な説明】
【００３４】
【図１】本発明の実施の形態１おける洗濯機の縦断面図洗濯機の側断面図
【図２】（ａ）同洗濯機の強水流行程の通電波形図（ｂ）同洗濯機の弱水流行程の通電波形図
【図３】同洗濯機の動作タイムチャート
【図４】従来の洗濯機の縦断面図
【符号の説明】
【００３５】
１３  洗濯兼脱水槽
１４  パルセータ
１６  モータ
２４  制御手段
【図１】
2005066000.tif 000003
【図２】
2005066000.tif 000004
【図３】
2005066000.tif 000005
【図４】
2005066000.tif 000006